(57)【要約】【課題】検索要請者が直接検索キーワードを指定しなくても、検索要請者が検索したい検索語が属する検索分野で時々刻々変わる大衆の意見が自動で反映される変動属性データベースに基づいて、検索要請者の個人選好度を反映することにより、該当検索要請者の趣向に合う検索結果キーワードをサービスする関心分野別大衆趣向検索案内システムを提供する。【解決手段】提供される関心分野のうち検索しようとする検索関心分野を選定し、その選定された検索関心分野に属する関心分野別キーワードのうち検索要請者の趣向に合う検索要請者趣向反映検索キーワードを選定することができるように前記関心分野別キーワードを説明する固定属性リスト部及び変動属性リスト部のうち検索要請者が指定した固定属性の指定値及び変動属性の指定値からなる指定属性情報を伝送する検索要請者端末機；及び前記検索要請者端末機に関心分野を提供し、前記検索要請者端末機でその提供された関心分野のうち前記検索関心分野が選定されれば、その選定された検索関心分野に属する関心分野別キーワードを説明する固定属性リスト部及び変動属性リスト部を前記検索要請者端末機に提供し、前記検索要請者端末機から指定属性情報が伝送されれば、その伝送された指定属性情報に含まれた情報のうち固定属性指定値に属する関心分野別キーワードを選定し、その選定された関心分野別キーワードが有する変動属性値のうち前記指定属性情報に含まれた変動属性指定値のポイントを合算して選定された検索要請者趣向反映検索キーワードを優先順位別に表示して前記検索要請者端末機に伝送する検索サービス提供サーバーを含む。【選択図】  図１
2019531516.tif 000002
【特許請求の範囲】
【請求項１】
提供される関心分野のうち検索しようとする検索関心分野を選定し、その選定された検索関心分野に属する関心分野別キーワードのうち検索要請者の趣向に合う検索要請者趣向反映検索キーワードを選定することができるように前記関心分野別キーワードを説明する固定属性リスト部及び変動属性リスト部のうち検索要請者が指定した固定属性の指定値及び変動属性の指定値からなる指定属性情報を伝送する検索要請者端末機；及び
前記検索要請者端末機に関心分野を提供し、前記検索要請者端末機でその提供された関心分野のうち前記検索関心分野が選定されれば、その選定された前記検索関心分野に属する前記関心分野別キーワードを説明する前記固定属性リスト部及び前記変動属性リスト部を前記検索要請者端末機に提供し、前記検索要請者端末機から前記指定属性情報が伝送されれば、その伝送された前記指定属性情報に含まれた情報のうち前記固定属性の前記指定値に属する前記関心分野別キーワードを選定し、その選定された前記関心分野別キーワードが有する変動属性値のうち前記指定属性情報に含まれた前記変動属性の前記指定値のポイントを合算して選定された前記検索要請者趣向反映検索キーワードを優先順位別に表示して前記検索要請者端末機に伝送する検索サービス提供サーバー；を含み、
前記固定属性は、前記検索関心分野に属する前記関心分野別キーワードを前記検索要請者が認知することができるように説明する情報のうち不変の値に相当する情報であり、
前記変動属性は、前記検索関心分野に属する前記関心分野別キーワードを前記検索要請者が認知することができるように説明する情報のうち該当関心分野別キーワードのイベントがＴＶ、新聞及び雑誌を含むマスメディア、実時間検索、ブログ及びカフェを含む検索ポータルサイト及びＳＮＳで発生するとき、その発生したイベントで該当関心分野別キーワードを表現する文句である、
ことを特徴とする関心分野別趣向検索案内システム。
【請求項２】
前記固定属性リスト部は、前記検索関心分野に属する前記関心分野別キーワードを前記検索要請者が認知することができるように説明する情報のうち不変の値に相当する情報である前記固定属性の値からなるリストであり、
前記変動属性リスト部は、前記検索関心分野に属する前記関心分野別キーワードを前記検索要請者が認知することができるように説明する情報のうち該当関心分野別キーワードの前記イベントがＴＶ、新聞及び雑誌を含むマスメディア、実時間検索、ブログ及びカフェを含む検索ポータルサイト及びＳＮＳで発生するとき、その発生した前記イベントで該当関心分野別キーワードを表現する文句である前記変動属性からなるリストであり、
前記各変動属性には、そのイベントが発生した前記ＴＶ、新聞及び雑誌を含むマスメディア、実時間検索、ブログ及びカフェを含む検索ポータルサイト及びＳＮＳに掲載された情報の頻度数を示したポイントが一緒に記録される、
ことを特徴とする請求項１に記載の関心分野別趣向検索案内システム。
【請求項３】
前記検索サービス提供サーバーは、ＤＢ部；及びキーワード管理エンジン；を含み、
前記ＤＢ部は、
前記検索要請者が直接検索キーワードを指定しなくても自分の個人選好度が反映された検索キーワードを前記検索要請者に提供するために必要な各種画面が保存された書式情報ＤＢ；
前記関心分野別に区分されて保存される情報であって、該当関心分野に属する前記関心分野別キーワード及び前記関心分野別キーワードを説明する情報のうち不変の値に相当する情報である前記固定属性の値がリストとして区分されて保存される関心分野別キーワード固定属性リストＤＢ；
前記関心分野別キーワード固定属性リストＤＢと関連する情報であって、該当関心分野に属する前記関心分野別キーワードを説明する情報のうち前記検索要請者が認知することができるように説明する情報のうち該当関心分野別キーワードの前記イベントが前記ＴＶ、新聞及び雑誌を含むマスメディア、実時間検索、ブログ及びカフェを含む検索ポータルサイト及び前記ＳＮＳで発生するとき、その発生した前記イベントで該当関心分野別キーワードを表現する前記文句である前記変動属性からなるリストであって、前記各変動属性にはそのイベントが発生した前記ＴＶ、新聞及び雑誌を含むマスメディア、実時間検索、ブログ及びカフェを含む検索ポータルサイト及びＳＮＳに掲載された情報の頻度数を示したポイントが一緒に記録される関心分野別キーワード変動属性リストＤＢ；及び
前記検索要請者のＩＤ及びパスワードが保存された顧客情報ＤＢ；含み、
前記キーワード管理エンジンは、前記ＴＶ、新聞及び雑誌を含むマスメディア、実時間検索、ブログ及びカフェを含む検索ポータルサイト及びＳＮＳを探索し、前記関心分野別キーワードが属するイベントが掲載されれば、その掲載されたイベントで該当関心分野別キーワードを表現する前記文句である前記変動属性に分類して前記関心分野別キーワード変動属性リストＤＢに保存し、該当変動属性に分類された前記イベントが前記ＴＶ、新聞及び雑誌を含むマスメディア、実時間検索、ブログ及びカフェを含む検索ポータルサイト及びＳＮＳに掲載された頻度数を演算し、その演算された値であるポイントも前記保存される該当変動属性と一組に区分して保存する、
ことを特徴とする請求項１に記載の関心分野別趣向検索案内システム。
【請求項４】
前記キーワード管理エンジンは、時間帯別にかつ日別に前記ＴＶ、新聞及び雑誌を含むマスメディア、実時間検索、ブログ及びカフェを含む検索ポータルサイト及びＳＮＳを探索して前記関心分野別キーワードが属する情報である前記イベントが掲載されれば、その掲載された情報の頻度数を演算した値であるポイントに付け加えて時間加重値を演算してポイントに反映する、
ことを特徴とする請求項３に記載の関心分野別趣向検索案内システム。
【請求項５】
前記時間加重値は、１／（情報掲載経過日数）であり、前記ポイントに乗算される、
ことを特徴とする請求項４に記載の関心分野別趣向検索案内システム。
【請求項６】
前記キーワード管理エンジンは、前記掲載されたイベントで該当関心分野別キーワードを表現する前記文句である前記変動属性の前記値が前記関心分野別キーワード変動属性リストＤＢに保存されていない新規の値であれば、その新規の変動属性の値を前記関心分野別キーワード変動属性リストＤＢに付け加えて保存されるように制御する、
ことを特徴とする請求項３に記載の関心分野別趣向検索案内システム。
【請求項７】
前記書式情報ＤＢは、
前記検索要請者が選定した前記検索関心分野に属する前記関心分野別キーワードを前記検索要請者が認知することができるように説明する情報のうち不変の値に相当する情報である前記固定属性が選択可能に表示される固定属性リスト部と、前記検索要請者が選定した前記検索関心分野に属する前記関心分野別キーワードを前記検索要請者が認知することができるように説明する情報のうち該当検索関心分野別キーワードのイベントが前記ＴＶ、新聞及び雑誌を含むマスメディア、実時間検索、ブログ及びカフェを含む検索ポータルサイト及びＳＮＳで発生するとき、その発生した前記イベントで該当関心分野別キーワードを表現する前記文句である前記変動属性が選択可能に表示される変動属性リスト部とからなる選択検索関心分野属性選択画面；を含む、
ことを特徴とする請求項３に記載の関心分野別趣向検索案内システム。
【請求項８】
前記選択検索関心分野属性選択画面は、前記変動属性リスト部に表示された前記変動属性のうち前記検索要請者が指定した前記変動属性の加重値程度を増減させる指定変動属性加重値部；を含み、
前記検索要請者端末機は、前記指定変動属性加重値部の操作によって生成される指定変動属性加重値情報を前記指定属性情報に取り合わせて伝送し、
前記検索サービス提供サーバーは、前記キーワード管理エンジンを運営し、前記検索要請者端末機から伝送される前記指定属性情報に含まれた変動属性指定値のポイントに前記指定変動属性加重値情報を反映して該当変動属性のポイントを演算する、
ことを特徴とする請求項７に記載の関心分野別趣向検索案内システム。
【請求項９】
前記検索サービス提供サーバーは、前記検索要請者趣向反映検索キーワードを前記検索要請者端末機に伝送した後、前記検索要請者端末機から伝送された前記指定属性情報を該当検索要請者の前記検索関心分野に対する使用者行動情報に区分して前記顧客情報ＤＢに累積保存し、前記キーワード管理エンジンを運営して、前記顧客情報ＤＢに累積保存される使用者行動情報を機械学習する、
ことを特徴とする請求項３に記載の関心分野別趣向検索案内システム。
【発明の詳細な説明】
【技術分野】
【０００１】
本発明は、検索要請者が、直接、検索キーワードを指定しなくても検索要請者が検索したい検索語が属する検索分野で時々刻々変わる大衆の意見が自動で反映される変動属性データベースに基づいて、検索要請者の個人選好度を反映することにより、該当検索要請者の趣向に合う検索結果キーワードをサービスする関心分野別趣向検索案内システムに関するものである。
【背景技術】
【０００２】
現社会は、インターネットの発達によって多様な情報を視聴することができるだけでなく個人が望む情報を検索システムで直接検索して閲覧することができる。
【０００３】
このような検索システムは、検索要請者が検索対象に対応する検索語を入力して検索要請を依頼すれば、該当検索システムはその検索要請によって入力された検索語に関連した内容が言及されたニュース、動画、イメージなどを検索要請者が視聴することができるように出力する。
【０００４】
しかし、このような検索方式は、検索要請者が入力したキーワードのみを対象として検索するだけなので、検索要請者が望む多様な情報を提供することができない。
【０００５】
この代案として、検索要請者が直接キーワードの関係を定義し、該当検索要請者によって定義された関係を用いて情報を検索することができるシステムが提案されている。
【０００６】
しかし、これも、検索要請者が直接検索しようとする検索対象に対する検索語を認知しなければならなく、その認知した検索語に対して再びその検索語に関連した付加的な検索語である追加検索語を連関させることによってのみ検索対象から追加情報を得ることができる。
【０００７】
そのため、検索要請者が直接検索キーワードを指定しなくても検索要請者が検索したい検索語が属する検索分野で時々刻々変わる大衆の意見が自動で反映される変動属性データベースに基づいて検索要請者の個人選好度を反映することにより、該当検索要請者の趣向に合う検索結果キーワードをサービスする必要性が生じた。
【先行技術文献】
【特許文献】
【０００８】
【特許文献１】大韓民国登録実用新案第２０−０４２６０７２号公報（登録日：２００６．９．４）
【発明の概要】
【発明が解決しようとする課題】
【０００９】
本発明は、前記従来技術の問題点を解決するためのもので、本発明の目的は、検索要請者が直接検索キーワードを指定しなくても検索要請者が検索したい検索語が属する検索分野で時々刻々変わる大衆の意見が自動で反映される変動属性データベースに基づいて検索要請者の個人選好度を反映することにより、該当検索要請者の趣向に合う検索結果キーワードをサービスする関心分野別大衆趣向検索案内システムを提供することにある。
【課題を解決するための手段】
【００１０】
本発明を達成するための技術的思想として、
本発明の関心分野別趣向検索案内システムは、
提供される関心分野のうち検索しようとする検索関心分野を選定し、その選定された検索関心分野に属する関心分野別キーワードのうち、検索要請者の趣向に合う検索要請者趣向反映検索キーワードを選定することができるように前記関心分野別キーワードを説明する固定属性リスト部及び変動属性リスト部のうち、検索要請者が指定した固定属性の指定値及び変動属性の指定値からなる指定属性情報を伝送する検索要請者端末機；及び
前記検索要請者端末機に関心分野を提供し、前記検索要請者端末機でその提供された関心分野のうち前記検索関心分野が選定されれば、その選定された検索関心分野に属する関心分野別キーワードを説明する固定属性リスト部及び変動属性リスト部を前記検索要請者端末機に提供し、前記検索要請者端末機から指定属性情報が伝送されれば、その伝送された指定属性情報に含まれた情報のうち固定属性指定値に属する関心分野別キーワードを選定し、その選定された関心分野別キーワードが有する変動属性値のうち前記指定属性情報に含まれた変動属性指定値のポイントを合算して選定された検索要請者趣向反映検索キーワードを優先順位別に表示して前記検索要請者端末機に伝送する検索サービス提供サーバー；を含む。
【００１１】
前記固定属性リスト部は、検索関心分野に属する関心分野別キーワードを検索要請者が認知することができるように説明する情報のうち不変の値に相当する情報である固定属性の値からなるリストであり、
前記変動属性リスト部は、検索関心分野に属する関心分野別キーワードを検索要請者が認知することができるように説明する情報のうち該当関心分野別キーワードのイベントがＴＶ（テレビ）、新聞及び雑誌を含むマスメディア、実時間検索、ブログ及びカフェを含む検索ポータルサイト及びＳＮＳ（ソーシャル・ネットワーキング・サービス）で発生するとき、その発生したイベントで該当関心分野別キーワードを表現する文句である変動属性からなるリストであり、
各変動属性にはそのイベントが発生した前記ＴＶ、新聞及び雑誌を含むマスメディア、実時間検索、ブログ及びカフェを含む検索ポータルサイト及びＳＮＳに掲載された情報の頻度数を示したポイントが一緒に記録されることができる。
【００１２】
前記検索サービス提供サーバーは、ＤＢ部（データベース部）；及びキーワード管理エンジン；を含むことができ、
前記ＤＢ部は、
検索要請者が直接検索キーワードを指定しなくても自分の個人選好度が反映された検索キーワードを検索要請者に提供するために必要な各種画面が保存された書式情報ＤＢ；
関心分野別に区分されて保存される情報であって、該当関心分野に属する関心分野別キーワード及び前記関心分野別キーワードを説明する情報のうち不変の値に相当する情報である固定属性の値がリストとして区分されて保存される関心分野別キーワード固定属性リストＤＢ；
前記関心分野別キーワード固定属性リストＤＢと関連する情報であって、該当関心分野に属する関心分野別キーワードを説明する情報のうち検索要請者が認知することができるように説明する情報のうち該当関心分野別キーワードのイベントがＴＶ、新聞及び雑誌を含むマスメディア、実時間検索、ブログ及びカフェを含む検索ポータルサイト及びＳＮＳで発生するとき、その発生したイベントで該当関心分野別キーワードを表現する文句である変動属性からなるリストであって、各変動属性にはそのイベントが発生した前記ＴＶ、新聞及び雑誌を含むマスメディア、実時間検索、ブログ及びカフェを含む検索ポータルサイト、及びＳＮＳに掲載された情報の頻度数を示したポイントが一緒に記録される関心分野別キーワード変動属性リストＤＢ；
及び
検索要請者のＩＤ及びパスワードが保存された顧客情報ＤＢ；
を含むことができ、
前記キーワード管理エンジンは、前記ＴＶ、新聞及び雑誌を含むマスメディア、実時間検索、ブログ及びカフェを含む検索ポータルサイト及びＳＮＳを探索し、前記関心分野別キーワードが属するイベントが掲載されれば、その掲載されたイベントで該当関心分野別キーワードを表現する文句である変動属性に分類して前記関心分野別キーワード変動属性リストＤＢに保存し、該当変動属性に分類されたイベントが前記ＴＶ、新聞及び雑誌を含むマスメディア、実時間検索、ブログ及びカフェを含む検索ポータルサイト及びＳＮＳに掲載された頻度数を演算し、その演算された値であるポイントも前記保存される該当変動属性と一組に区分して保存することができる。
【００１３】
前記キーワード管理エンジンは、日別に前記ＴＶ、新聞及び雑誌を含むマスメディア、実時間検索、ブログ及びカフェを含む検索ポータルサイト及びＳＮＳを探索して前記関心分野別キーワードが属する情報であるイベントが掲載されれば、その掲載された情報の頻度数を演算した値であるポイントに付け加えて時間加重値を演算してポイントに反映することができる。
【００１４】
前記キーワード管理エンジンは、前記掲載されたイベントで該当関心分野別キーワードを表現する文句である変動属性の値が前記関心分野別キーワード変動属性リストＤＢに保存されていない新規の値であれば、その新規の変動属性の値を前記関心分野別キーワード変動属性リストＤＢに付け加えて保存されるように制御することができる。
【００１５】
前記書式情報ＤＢは、検索要請者が選定した検索関心分野に属する関心分野別キーワードを検索要請者が認知することができるように説明する情報のうち不変の値に相当する情報である固定属性が選択可能に表示される固定属性リスト部と、検索要請者が選定した検索関心分野に属する関心分野別キーワードを検索要請者が認知することができるように説明する情報のうち該当検索関心分野別キーワードのイベントがＴＶ、新聞及び雑誌を含むマスメディア、実時間検索、ブログ及びカフェを含む検索ポータルサイト及びＳＮＳで発生するとき、その発生したイベントで該当関心分野別キーワードを表現する文句である変動属性が選択可能に表示される変動属性リスト部とからなる選択検索関心分野属性選択画面；を含むことができる。
【００１６】
前記選択検索関心分野属性選択画面は、変動属性リスト部に表示された変動属性のうち検索要請者が指定した変動属性の加重値程度を増減させる指定変動属性加重値部；を含むことができ、
前記検索要請者端末機は、指定変動属性加重値部の操作によって生成される指定変動属性加重値情報を前記指定属性情報に取り合わせて伝送することができ、
前記検索サービス提供サーバーはキーワード管理エンジンを運営し、前記検索要請者端末機から伝送される指定属性情報に含まれた変動属性指定値のポイントに前記指定変動属性加重値情報を反映して該当変動属性のポイントを演算することができる。
【発明の効果】
【００１７】
本発明は、検索要請者が直接検索キーワードを指定しなくても検索要請者が検索したい検索語が属する検索分野で時々刻々変わる大衆の意見が自動で反映される変動属性データベースに基づいて検索要請者の個人選好度を反映することにより、該当検索要請者の趣向に合う検索結果キーワードをサービスする効果を発揮する。
【図面の簡単な説明】
【００１８】
【図１】本発明の関心分野別趣向検索案内システムを示した全体構成図である。
【図２】本発明の関心分野別趣向検索案内システムを成す構成のうち検索サービス提供サーバーの詳細構成図である。
【図３】本発明の関心分野別趣向検索案内システムで提供される検索関心分野選択画面を示した図である。
【図４ａ】本発明の関心分野別趣向検索案内システムで提供される指定検索関心分野属性選択画面を示した図である。
【図４ｂ】前記指定検索関心分野属性選択画面を示した図である。
【図４ｃ】前記指定検索関心分野属性選択画面を示した図である。
【図５】本発明の関心分野別趣向検索案内システムで提供される検索要請者趣向反映検索キーワード案内画面を示した図である。
【図６ａ】本発明の関心分野別趣向検索案内システムで提供される指定検索関心分野属性選択画面の他の実施例を示した図である。
【図６ｂ】本発明の関心分野別趣向検索案内システムで提供される指定検索関心分野属性選択画面の他の実施例を示した図である。
【図７ａ】本発明の関心分野別趣向検索案内システムで提供される検索要請者趣向反映検索キーワード案内画面の他の実施例を示した図である。
【図７ｂ】本発明の関心分野別趣向検索案内システムで提供される検索要請者趣向反映検索キーワード案内画面の他の実施例を示した図である。
【発明を実施するための形態】
【００１９】
以下では、本発明の実施例の構成及び作用について、添付図面を参照しながら詳細に説明する。
【００２０】
図１を参照して、本発明の関心分野別趣向検索案内システムは、大別して検索要請者端末機１００及び検索サービス提供サーバー２００からなる。
【００２１】
本明細書の一実施例によると、関心分野別趣向検索案内システムは、検索サービス提供サーバー２００及び検索要請者端末機１００を含むことができる。
【００２２】
検索サービス提供サーバー２００及び検索要請者端末機１００は、ネットワークを介して互いに連結されて互いに通信する。
【００２３】
検索サービス提供サーバー２００は、例えば一般用コンピュータ、サーバー、その他の電子的処理又は電子的処理に相応する類似の処理が可能な装置で具現されることができる。
【００２４】
検索要請者端末機１００は、例えばパーソナルコンピュータ、タブレットＰＣ、ノート型パソコン、ラップトップコンピュータ、スマートフォン、ハンドヘルドデバイス（ｈａｎｄ−ｈｅｌｄ  ｄｅｖｉｃｅ）その他の一般使用者／消費者が近付くことができる、電子的処理又は電子的処理に相応する類似の処理が可能な装置で具現されることができる。
【００２５】
検索サービス提供サーバー２００は、衣類検索に必要なインターフェースページを構成するためのインターフェースページ情報を検索要請者端末機１００に提供する。
【００２６】
検索要請者端末機１００は、伝達されたインターフェースページ情報を用いてインターフェースページを使用者に提供する。インターフェースページ情報は、例えばｈｔｍｌ形式の文書又はこれと類似するとかこれと同等なその他の情報を伝達することができる形式で伝達することができる。
【００２７】
他の実施例によると、インターフェースページを生成するための情報のうちページ形態／形式についての情報は検索要請者端末機１００に前もって保存されており、ページに入る内容（コンテンツ）のみが検索サービス提供サーバー２００から検索要請者端末機１００に伝達されることもできる。
【００２８】
この場合、検索要請者端末機１００は前もって保存されているページ形態／形式についての情報によってページ形態／形式を作り、その内部の内容として検索サービスサーバー２００から伝達されたページ情報を活用して満たすこともできる。
【００２９】
検索要請者端末機１００は、ウェブブラウザー又は別個のアプリケーションを実行し、そのウェブブラウザー又はその他のアプリケーションを介してこの明細書による動作を行うことができる。
【００３０】
以下では、便宜のためにウェブブラウザー／アプリケーションについての言及を省略し、単に検索要請者端末機１００又は検索要請者端末機１００の構成部が動作を行うものとして表現する。
【００３１】
検索要請者端末機１００は、インターフェースページを介して受信された使用者入力についての情報を検索サービス提供サーバー２００に伝達する。検索サービス提供サーバー２００は、使用者入力についての情報を活用して使用者入力に相応する他のインターフェースページを生成するためのページ情報及び／又は検索結果ページを生成するためのページ情報を検索要請者端末機１００に伝達する。検索要請者端末機１００は、伝達されたページ情報を用いてインターフェースページ及び／又は結果ページを使用者に提供する。
【００３２】
以下では、便宜のために検索サービス提供サーバー２００が検索要請者端末機１００に伝達するページ情報（ページを生成するための情報）を単に‘情報’などと称することができる。
【００３３】
固定属性及び変動属性について説明する。
【００３４】
ある客体の固定属性は、該当客体の（潜在的）消費階層又はその他の関係階層の評価／反応などによって変わらない属性を意味する。例えば、人の性別、背、職業又は放送プログラムの所属放送社などは固定属性に相当する。
【００３５】
ある客体の変動属性は、該当客体の（潜在的）消費階層又はその他の関係階層の評価／反応などによって変わる属性を意味する。検索サービス提供サーバー２００又は別に構築されたサーバーは、例えばＳＮＳ、ウェブ、マスメディアなどで該当客体に関連した単語／語句など（評価／反応情報）を収集することができる。例えば“プログラムＡ”と“笑わせる”（又はこれと関連した単語）が一緒に含まれたＳＮＳ文書又は新聞記事、ブロク掲示物などが多く発生し、収集されるならば、“笑わせる”が“プログラムＡ”の変動属性と認められることができる。
【００３６】
しかし、時間が経って“プログラムＡ”と“笑わせる”が一緒に含まれた文書は近年に多く発生しなく、“プログラムＡ”と“感動的な”が一緒に含まれた文書が近年に多く発生し、収集されるならば、それ以上“笑わせる”は“プログラムＡ”の変動属性ではなくて“感動的な”が“プログラムＡ”の変動属性と認められることができる。
【００３７】
ただ、上述した変動属性の選定方式は例示的なものに過ぎなく、他の方式で変動属性が設定されることもできる。
【００３８】
まず、検索要請者端末機１００は、提供される関心分野のうち検索しようとする検索関心分野を選定し、その選定された検索関心分野に属する関心分野別キーワードのうち、検索要請者の趣向に合う検索要請者趣向反映検索キーワードを選定することができるように前記関心分野別キーワードを説明する固定属性リスト部４１０（図４ａ、図４ｂ）、６１０（図６ａ）、及び変動属性リスト部４２０（図４ｃ）、６２０（図６ｂ）のうち、検索要請者が指定した固定属性４１１ａ、４１１ｂ、４１１ｃ、及び４１１ｄ（図４ａ）；４１１ｅ、及び４１１ｆ（図４ｂ）；６１１ａ、６１１ｂ、６１１ｃ、及び６１１ｄ（図６ａ）の指定値及び変動属性４２１（図４ｃ）、６２１（図６ｂ）の指定値からなる指定属性情報を検索サービス提供サーバー２００に伝送する端末部材である。
【００３９】
ここで、固定属性リスト部４１０、６１０は、検索関心分野に属する関心分野別キーワードを検索要請者が認知することができるように説明する情報のうち、不変の値に相当する情報である固定属性４１１ａ、４１１ｂ、４１１ｃ、４１１ｄ、４１１ｅ、４１１ｆ、６１１ａ、６１１ｂ、６１１ｃ、６１１ｄの値からなるリストであり、
変動属性リスト部４２０、６２０は、関心分野に属する関心分野別キーワードを検索要請者が認知することができるように説明する情報のうち、該当関心分野別キーワードのイベントがＴＶ、新聞及び雑誌を含むマスメディア、実時間検索、ブログ及びカフェを含む検索ポータルサイト及びＳＮＳで発生するとき、その発生したイベントで該当関心分野別キーワードを表現する文句である変動属性４２１、６２１からなるリストであって、検索サービス提供サーバー２００から提供され、ディスプレイ部１１０（図４ａ〜図４ｃ、図５、図６ａ、図６ｂ、図７ａ、図７ｂ）を介して出力され、検索要請者が認知することができるように提供する。
【００４０】
このような機能を行う検索要請者端末機１００の種類は、ＰＣ（Ｐｅｒｓｏｎａｌ  Ｃｏｍｐｕｔｅｒ）、ノート型パソコン、携帯電話（ｍｏｂｉｌｅ  ｐｈｏｎｅ）、タブレットＰＣ、ナビゲーション（ｎａｖｉｇａｔｉｏｎ）、スマートフォン（ｓｍａｒｔ  ｐｈｏｎｅ）、スマートウォッチ（ｓｍａｒｔ  ｗａｔｃｈ）、スマートＴＶ（ｓｍａｒｔ  ＴＶ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）又はＤＶＢ（Ｄｉｇｉｔａｌ  Ｖｉｄｅｏ  Ｂｒｏａｄｃａｓｔｉｎｇ）のようなデジタル放送受信機など、情報の入力及び出力のみならず情報の加工などを行うことができる多様な器機に適用することができる。
【００４１】
また、検索要請者端末機１００は、後述する検索サービス提供サーバー２００とネットワークを介して情報を送受信する。
【００４２】
このようなネットワークも、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又は付加価置通信網（Ｖａｌｕｅ  Ａｄｄｅｄ  Ｎｅｔｗｏｒｋ；ＶＡＮ）などの有線ネットワーク及びＷＬＡＮ（Ｗｉｒｅｌｅｓｓ  ＬＡＮ）、ワイファイ（Ｗｉ−Ｆｉ）、ワイブロ（Ｗｉｒｅｌｅｓｓ  Ｂｒｏａｄｂａｎｄ；Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ；Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＬＴＥ（３ＧＰＰ  Ｌｏｎｇ  Ｔｅｒｍ  Ｅｖｏｌｕｔｉｏｎ）、ワイブロエボルーション（Ｗｉｒｅｌｅｓｓ  Ｂｒｏａｄｂａｎｄ  Ｅｖｏｌｕｔｉｏｎ；ＷｉＢｒｏ  Ｅｖｏｌｕｔｉｏｎ）、ブルートゥース（Ｂｌｕｅｔｏｏｔｈ）、Ｚｉｇｂｅｅ、ＲＦＩＤ（Ｒａｄｉｏ  Ｆｒｅｑｕｅｎｃｙ  Ｉｄｅｎｔｉｆｉｃａｔｉｏｎ）、赤外線通信（ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）及び移動通信網（Ｍｏｂｉｌｅ  Ｒａｄｉｏ  Ｃｏｍｍｕｎｉｃａｔｉｏｎ  Ｎｅｔｗｏｒｋ）などの無線ネットワークで連結されるとか又はこれらの混用網で連結されることができる。
【００４３】
前記検索サービス提供サーバー２００は、検索要請者端末機１００に関心分野を提供し、検索要請者端末機１００からその提供された関心分野のうち、前記検索関心分野が選定されれば、その選定された検索関心分野に属する関心分野別キーワードを説明する固定属性リスト部４１０、６１０及び変動属性リスト部４２０、６２０を前記検索要請者端末機１００に提供し、検索要請者端末機１００から指定属性情報が伝送されれば、その伝送された指定属性情報に含まれた情報のうち固定属性指定値に属する関心分野別キーワードを選定し、その選定された関心分野別キーワードが有する変動属性値のうち前記指定属性情報に含まれた変動属性指定値のポイントを合算し、選定された検索要請者趣向反映検索キーワードを優先順位別に表示して検索要請者端末機１００に伝送するサーバー部材である。
【００４４】
このような機能をするために、検索サービス提供サーバー２００には、ＤＢ部２１０及びキーワード管理エンジン２２０が備えられる(図２参照)。
【００４５】
まず、前記ＤＢ部２１０は、書式情報ＤＢ２１１、関心分野別キーワード固定属性リストＤＢ２１２、関心分野別キーワード変動属性リストＤＢ２１３及び顧客情報ＤＢ２１４からなる(図２参照)。
【００４６】
前記顧客情報ＤＢ２１４は、検索要請者が本発明のサービスを用いるために検索サービス提供サーバー２００に接続するとき、ログイン情報に用いられる検索要請者のＩＤ及びパスワードと一緒に検索要請者のＳＮＳアカウント情報、電子メール及び電話番号を含む連絡先が保存管理されるデータベース部材である。
【００４７】
前記関心分野別キーワード固定属性リストＤＢ２１２は、関心分野別に区分されて保存される情報であって、該当関心分野に属する関心分野別キーワード及び関心分野別キーワードを説明する情報のうち不変の値に相当する情報である固定属性４１１ａ、４１１ｂ、４１１ｃ、４１１ｄ、４１１ｅ、４１１ｆ、６１１ａ、６１１ｂ、６１１ｃ、６１１ｄの値がリストに区分されて保存管理されるデータベース部材である。
【００４８】
このような固定属性４１１ａ、４１１ｂ、４１１ｃ、４１１ｄ、４１１ｅ、４１１ｆ、６１１ａ、６１１ｂ、６１１ｃ、６１１ｄの一例として、関心分野が人物の場合は性別、職業、年齢帯、血液型、人が生まれた年を１２支に区分して示す語、星座などに区分され、関心分野がビールの場合はビールの区分、ビール製造国、アルコール度数、価格帯などに区分される。
【００４９】
前記関心分野別キーワード変動属性リストＤＢ２１３は、関心分野別キーワード固定属性リストＤＢ２１２についての情報であって、該当関心分野に属する関心分野別キーワードを説明する情報のうち、検索要請者が認知することができるように説明する情報のうち、該当関心分野別マスメディア、検索ポータルサイト及びＳＮＳで発生するとき、その発生したイベントで該当関心分野別キーワードを表現する文句である変動属性からなったリストであり、各変動属性には、そのイベントが発生した前記ＴＶ、新聞及び雑誌を含むマスメディア、実時間検索、ブログ及びカフェを含む検索ポータルサイト及びＳＮＳに掲載された情報の頻度数を示したポイントが一緒に記録されるデータベース部材である。
【００５０】
これにより、キーワード管理エンジン２２０は、ＴＶ、新聞及び雑誌を含むマスメディア、実時間検索、ブログ及びカフェを含む検索ポータルサイト及びＳＮＳを探索して関心分野別キーワードが属するイベントが掲載されれば、その掲載されたイベントで該当関心分野別キーワードを表現する文句である変動属性に分類して関心分野別キーワード変動属性リストＤＢ２１３に保存し、該当変動属性に分類されたイベントがＴＶ、新聞及び雑誌を含むマスメディア、実時間検索、ブログ及びカフェを含む検索ポータルサイト及びＳＮＳに掲載された頻度数を演算し、その演算された値であるポイントも該当変動属性と一組に区分して保存管理するように制御する。
【００５１】
ここで、キーワード管理エンジン２２０でＴＶ、新聞及び雑誌を含むマスメディア、実時間検索、ブログ及びカフェを含む検索ポータルサイト及びＳＮＳの探索は、既設定の周期、一例として、日別にＴＶ、新聞及び雑誌を含むマスメディア、実時間検索、ブログ及びカフェを含む検索ポータルサイト及びＳＮＳでイベントが発生するとき、関心分野別キーワード固定属性リストＤＢ２１２に保存管理される関心分野別キーワードをマッチして関連有無の確認で行う。
【００５２】
また、キーワード管理エンジン２２０は、日別にＴＶ、新聞及び雑誌を含むマスメディア、実時間検索、ブログ及びカフェを含む検索ポータルサイト及びＳＮＳを探索するとき、関心分野別キーワードが属する情報に相当するイベントが掲載されれば、その掲載された情報の頻度数を演算した値であるポイントにさらに時間加重値を演算してポイントに反映する。
【００５３】
すなわち、イベントの掲載日によって、掲載日が古い場合、ネチズンの嗜好度及び好感度が反感される特性を考慮したものであり、このような時間加重値は１／（情報掲載経過日数）であり、該当ポイントに乗算されてポイントが合算される。
【００５４】
また、キーワード管理エンジン２２０は、掲載されたイベントで該当関心分野別キーワードを表現する文句である変動属性４２１、６２１の値が関心分野別キーワード変動属性リストＤＢ２１３に保存されていない新規の値であれば、その新規の変動属性４２１、６２１の値を関心分野別キーワード変動属性リストＤＢ２１３に追加して保存するように制御することにより、該当検索キーワードに関連したネチズンの嗜好度及び好感度を反映し、これにより、検索要請者が捜そうとする関心分野の検索要請者趣向反映検索キーワードにも最新の情報を反映して、検索要請者の趣向に合う検索要請者趣向反映検索キーワードが提供されるようにする。
【００５５】
前記書式情報ＤＢ２１１は、検索要請者が直接検索キーワードを指定しなくても自分の個人選好度が反映された検索キーワードを検索要請者に提供するために必要な各種の画面が保存されたデータベース部材である。
【００５６】
このような書式情報ＤＢ２１１は、検索関心分野選択画面３００（図３）、指定検索関心分野属性選択画面４００（図４ａ〜図４ｃ、図５）、６００（図６ａ、図６ｂ）及び検索要請者趣向反映検索キーワード案内画面５００（図５）、７００（図７ａ、図７ｂ）を含む。
【００５７】
まず、検索関心分野選択画面３００は、検索要請者が自分の趣向に合う検索キーワードが属する関心分野を選択することができるように多くの関心分野が選択可能に表示されたグラフィック・ユーザー・インターフェース（ＧＵＩ）である。
【００５８】
このように、検索関心分野選択画面３００に表示される関心分野には人物、ワイン、ビール、ＡＲＴ、ＦＯＯＤ、自動車、ゲーム、旅行などがあり、サーバー管理者によって持続的に追加して提供することができる。
【００５９】
前記指定検索関心分野属性選択画面４００、６００は、検索要請者が選定した検索関心分野に属する関心分野別キーワードを検索要請者が認知することができるように説明する情報のうち不変の値に相当する情報である固定属性４１１ａ、４１１ｂ、４１１ｃ、４１１ｄ、４１１ｅ、４１１ｆ、６１１ａ、６１１ｂ、６１１ｃ、６１１ｄが選択可能に表示される固定属性リスト部４１０、５１０及び検索要請者が選定した検索関心分野に属する関心分野別キーワードを検索要請者が認知することができるように説明する情報のうち該当関心分野別キーワードのイベントがＴＶ、新聞及び雑誌を含むマスメディア、実時間検索、ブログ及びカフェを含む検索ポータルサイト及びＳＮＳで発生するとき、その発生したイベントで該当関心分野別キーワードを表現する文句である変動属性が選択可能に表示される変動属性リスト部４２０、６２０からなるグラフィックユーザーインターフェース（ＧＵＩ）である。
【００６０】
また、指定検索関心分野属性選択画面４００、６００には、変動属性リスト部４２０、６２０に表示された変動属性４２１、６２１のうち検索要請者が指定した変動属性４２１、６２１の加重値の程度を増減させる指定変動属性加重値部４３０（図４ｃ）が備えられる。
【００６１】
これにより、検索要請者端末機１００は、指定変動属性加重値部４３０の操作によって生成される指定変動属性加重値情報を前記指定属性情報に取り合わせて伝送し、検索サービス提供サーバー２００はキーワード管理エンジン２２０を運営して、検索要請者端末機１００から伝送される指定属性情報に含まれた変動属性指定値のポイントに指定変動属性加重値情報を反映して該当変動属性のポイントを演算する。
【００６２】
前記検索要請者趣向反映検索キーワード案内画面５００、７００は、キーワード管理エンジン２２０で検索要請者端末機１００から伝送された指定属性情報に含まれた情報のうち固定属性指定値によって認知した関心分野別キーワードのうちその関心分野別キーワードが有する変動属性値のうち指定属性情報に含まれた変動属性指定値のポイントに指定変動属性加重値情報を反映して演算し、その演算によって算出された最終ポイントを参照して検索要請者趣向反映検索キーワードのランキングを表示したグラフィック・ユーザー・インターフェース（ＧＵＩ）である。
【００６３】
ここで、検索要請者趣向反映検索キーワード案内画面５００、７００に表示される検索要請者趣向反映検索キーワードの個数は、管理者によって前もって設定されて提供される。
【００６４】
また、検索サービス提供サーバー２００は、検索要請者趣向反映検索キーワードを前記検索要請者端末機１００に伝送した後、前記検索要請者端末機１００から伝送された前記指定属性情報を該当検索要請者の検索関心分野に対する使用者行動情報に区分して前記顧客情報ＤＢ２１４に累積保存し、前記キーワード管理エンジン２２０を運営して、前記顧客情報ＤＢ２１４に累積保存される使用者行動情報を機械学習（Ｍａｃｈｉｎｅ  Ｌｅａｒｎｉｎｇ）によってアルゴリズムが改善されるように制御する。
【００６５】
このように構成された関心分野別趣向検索案内システムを用いた一実施例を図４を中心に説明すると次のようである。
【００６６】
検索要請者は、検索要請者端末機１００を介して、検索サービス提供サーバー２００に接続して関心分野別趣向検索サービスを要請する。
【００６７】
検索サービス提供サーバー２００は、検索要請者端末機１００の要請によって書式情報ＤＢ２１１から検索関心分野選択画面３００を抽出して検索要請者端末機１００に伝送する。
【００６８】
検索要請者端末機１００は、その伝送された検索関心分野選択画面３００をディスプレイ部１１０に出力すれば、検索要請者は、その出力された検索関心分野選択画面３００で自分が関心を有する検索関心分野（一例として、人物）を選択する。
【００６９】
検索要請者端末機１００は、その選択された人物を含む検索関心分野選択情報を検索サービス提供サーバー２００に伝送する。
【００７０】
検索サービス提供サーバー２００は、伝送された検索関心分野選択情報を参照して、人物が選択されたことを認知し、書式情報ＤＢ２１１から指定検索関心分野属性選択画面４００を抽出して検索要請者端末機１００に伝送する。
【００７１】
検索要請者端末機１００が、その伝送された指定検索関心分野属性選択画面４００をディスプレイ部１１０に出力すれば、検索要請者は、その出力された指定検索関心分野属性選択画面４００を参照し、固定属性リスト部４１０に表示された固定属性４１１ａ、４１１ｂ、４１１ｃ、４１１ｄ、４１１ｅ、４１１ｆのうち、自分が望む固定属性４１１ａ、４１１ｂ、４１１ｃ、４１１ｄ、４１１ｅ、４１１ｆの値を指定し、変動属性リスト部４２０に表示された変動属性４２１の値を指定する。
【００７２】
この時、検索要請者端末機１００は、検索要請者が変動属性リスト部４２０に表示された変動属性４２１のうち自分が望む値を選択すれば、その選択された変動属性４２１の値が指定変動属性加重値部４３０に表示される。
【００７３】
検索要請者は、希望する場合、指定変動属性加重値部４３０に表示された指定変動属性の加重値を設定する。
【００７４】
その後、検索要請者端末機１００は、その指定された固定属性４１１ａ、４１１ｂ、４１１ｃ、４１１ｄ、４１１ｅ、４１１ｆ、６１１ａ、６１１ｂ、６１１ｃ、６１１ｄの指定値及び変動属性４２１、６２１の指定値からなる指定属性情報に指定変動属性加重値情報を取り合わせて検索サービス提供サーバー２００に伝送する。
【００７５】
検索サービス提供サーバー２００は、伝送された指定変動属性加重値情報が取り合わせられた指定属性情報を参照し、固定属性４１１ａ、４１１ｂ、４１１ｃ、４１１ｄ、４１１ｅ、４１１ｆの指定値を関心分野別キーワード固定属性リストＤＢ２１２とマッチして保存された該当指定関心分野の関心分野別キーワードのうちマッチする関心分野別キーワードを抽出する。
【００７６】
その後、検索サービス提供サーバー２００は、指定変動属性加重値情報が取り合わせられた指定属性情報を参照し、変動属性４２１の指定値を関心分野別キーワード変動属性リストＤＢ２１３とマッチして変動属性４２１の指定値を含む指定関心分野の関心分野別キーワードを抽出する。
【００７７】
その後、検索サービス提供サーバー２００は、変動属性４２１の指定値とマッチする関心分野別キーワードのうち固定属性４１１ａ、４１１ｂ、４１１ｃ、４１１ｄ、４１１ｅ、４１１ｆの指定値とマッチする関心分野別キーワードと同一の関心分野別キーワードのみを残した状態で、その残った関心分野別キーワードの変動属性４２１に含まれたポイントに指定変動属性加重値情報を反映して該当変動属性のポイントを演算し、その演算によって算出された最終ポイントを参照して、その残った関心分野別キーワードをランキングが表示された検索要請者趣向反映検索キーワードに加工する。
【００７８】
その後、検索サービス提供サーバー２００は、書式情報ＤＢ２１１から検索要請者趣向反映検索キーワード案内画面５００を抽出し、その抽出された検索要請者趣向反映検索キーワード案内画面５００に加工された検索要請者趣向反映検索キーワードを挿入した状態で検索要請者端末機１００に伝送する。
【００７９】
検索要請者端末機１００は、伝送された検索要請者趣向反映検索キーワード案内画面５００をディスプレイ部１１０に出力して、検索要請者が閲覧することができるように提供する。
【００８０】
図６は、本発明の関心分野別趣向検索案内システムで提供される指定検索関心分野属性選択画面の他の実施例であって、検索要請者が関心分野のうちビールを選択した場合、検索要請者に提供される指定検索関心分野属性選択画面６００を示したものである。
【００８１】
このように、ビールに関連した固定属性リスト部６１０の固定属性６１１ａ、６１１ｂ、６１１ｃ、６１１ｄにはビールの区分、ビール製造国、アルコール度数、価格帯などが表現され、ビールに関連した変動属性リスト部６２０の変動属性６２１にはこぎれい、凉しい、柔らかいなどのようなビールの感じを示す文句が表現される。
【００８２】
そして、図７は、本発明の関心分野別趣向検索案内システムで提供される検索要請者趣向反映検索キーワード案内画面の他の実施例であって、検索要請者が指定検索関心分野属性選択画面６００の固定属性６１１ａ、６１１ｂ、６１１ｃ、６１１ｄ及び変動属性６２１から選択した情報に基づいて検索されたビールにランキングが表示された検索要請者趣向反映検索キーワード案内画面７００を示したもので、検索要請者は、自分の嗜好度に合うビールを手軽く捜すことができる。
【符号の説明】
【００８３】
１００    検索要請者端末機
１１０    ディスプレイ部
２００    検索サービス提供サーバー
２１０    ＤＢ部
２１１    書式情報ＤＢ
２１２    関心分野別キーワード固定属性リストＤＢ
２１３    関心分野別キーワード変動属性リストＤＢ
２１４    顧客情報ＤＢ
２２０    キーワード管理エンジン
３００    検索関心分野選択画面
４００、６００    指定検索関心分野属性選択画面
４１０、６１０    固定属性リスト部
４２０、６２０    変動属性リスト部
４３０    指定変動属性加重値部
４１１ａ、４１１ｂ、４１１ｃ、４１１ｄ、４１１ｅ、４１１ｆ、６１１ａ、６１１ｂ、６１１ｃ、６１１ｄ    固定属性
４２１、６２１    変動属性
５００、７００    検索要請者趣向反映検索キーワードの案内画面
【図１】
2019531516.tif 000003
【図２】
2019531516.tif 000004
【図３】
2019531516.tif 000005
【図４ａ】
2019531516.tif 000006
【図４ｂ】
2019531516.tif 000007
【図４ｃ】
2019531516.tif 000008
【図５】
2019531516.tif 000009
【図６ａ】
2019531516.tif 000010
【図６ｂ】
2019531516.tif 000011
【図７ａ】
2019531516.tif 000012
【図７ｂ】
2019531516.tif 000013
【国際調査報告】
2019531516.tif 000014
2019531516.tif 000015
2019531516.tif 000016
2019531516.tif 000017